(57)【要約】      （修正有）【課題】ルーペの表裏を容易に切り換えることが可能で、使い勝手の良い照明付きルーペの提供。【解決手段】枠４に配置されたレンズ３を有するルーペ本体２と、前記枠４から延設された柄１０と、前記レンズ３の一方の面に対向する視察領域と前記レンズ３の他方の面に対向する視察領域とを切り換えて選択的に光を投光する前記枠４または前記柄１０に設けられる可動照明手段５とを備えて構成される。【選択図】図１
2007322979.tif 000002
【特許請求の範囲】
【請求項１】
枠に設置されたレンズを有するルーペ本体と、前記枠から延設された柄と、
前記レンズの一方の面に対向する視察領域と前記レンズの他方の面に対向する視察領域とを切り換えて選択的に光を投光する前記枠又は前記柄に設けられる可動照明手段と
を備えていることを特徴とする照明付きルーペ。
【請求項２】
レンズを有するルーペ本体と、
前記ルーペ本体に設けられ、前記レンズの一方の面に対向する視察領域へ光を投光する照明手段と、
前記ルーペ本体から延設された柄と、
前記ルーペ本体と前記柄との間に設けられ、前記ルーペ本体を反転させ前記照明手段による照明方向を変えるように前記ルーペ本体を前記柄に対して回転可能にする回転機構と
を備えていることを特徴とする照明付きルーペ。
【請求項３】
レンズを有するルーペ本体と、
前記レンズの一方の面に対向する視察領域へ光を投光する第１の照明手段と、
前記レンズの他方の面に対向する視察領域へ光を投光する第２の照明手段と、
前記第１、第２の照明手段の点灯の有無を切り換える切換手段と
を備えていることを特徴とする照明付きルーペ。
【発明の詳細な説明】
【技術分野】
【０００１】
この発明は照明付きルーペに関する。
【背景技術】
【０００２】
従来、レンズと枠材と把持手段と照明手段とからなる照明付きルーペが知られている。
【０００３】
レンズは枠材に嵌めこまれている。照明手段は枠材の一方の面に取り付けられている。把持手段は枠材に連結されている。
【特許文献１】実用新案登録第３００２５１９号公報（図４参照）
【発明の開示】
【発明が解決しようとする課題】
【０００４】
上述のルーペでは、照明手段によって照らされる領域は、一方の面側のみである。
【０００５】
しかし、ルーペの表裏を判別することが困難な場合があり、その場合には照明手段を点灯して初めてルーペの表裏を判別できる。間違えて裏面を上に向けてルーペを持つと、観察対象物に光を当てることができず、ルーペを持ち換えなければならなかった。
【０００６】
この発明はこのような事情に鑑みてなされたもので、その課題は使い勝手のよい照明付きルーペを提供することである。
【課題を解決するための手段】
【０００７】
前述の課題を解決するため請求項１の発明の照明付きルーペは、枠に設置されたレンズを有するルーペ本体と、前記枠から延設された柄と、前記レンズの一方の面に対向する視察領域と前記レンズの他方の面に対向する視察領域とを切り換えて選択的に光を投光する前記枠又は前記柄に設けられる可動照明手段とを備えていることを特徴とする。
【発明の効果】
【０００８】
この発明によれば、ルーペの表裏を容易に切り換えることができる。
【発明を実施するための最良の形態】
【０００９】
以下、この発明の実施の形態を図面に基づいて説明する。
【００１０】
図１はこの発明の第１実施形態に係る照明付きルーペの一部を破断した状態を示す平面図である。図中、後述の可動照明装置５については断面が描かれている。
【００１１】
図１に示すように、この照明付きルーペは、ルーペ本体２と可動照明装置（可動照明手段）５と柄１０とを備える。
【００１２】
ルーペ本体２はレンズ３とフレーム４とを有する。レンズ３は凸レンズであり、その平面形状は第１実施形態では楕円形である。
【００１３】
フレーム４はレンズ３を保持し、その平面形状はほぼ矩形である。フレーム４には切欠き４１が形成されている。
【００１４】
可動照明装置５はＬＥＤ（レーザ発光ダイオード）６と制御基板７と拡散板８とケース９とを有する。
【００１５】
ＬＥＤ６は制御基板７に実装されている。
【００１６】
制御基板７はワイヤ７１を介して後述のスイッチ１１及びボタン電池１２に電気的に接続されている。
【００１７】
拡散板８はＬＥＤ６から発せられた光を拡散する。
【００１８】
ケース９は開口を有し、ＬＥＤ６及び制御基板７を収容する。ケース９の開口は拡散板８によって塞がれている。ケース９の右側面には摘み９１が結合されている。摘み９１の右側面には軸９２が結合されている。摘み９１及び軸９２の内部にはワイヤ７１が通されている。ケース９の左側面には軸９３が結合されている。軸９２，９３はフレーム４に回転可能支持されている。軸９２，９３とフレーム４との間には所定の摩擦力が発生する。
【００１９】
柄１０はフレーム４の一方の長辺部の右端部に結合されている。このため、照明付きルーペの平面形状は左右非対称形となる。柄１０にはスイッチ１１とボタン型電池１２とが設けられている。
【００２０】
柄１０の両面はカバー１３で覆われている。
【００２１】
図２は可動照明装置の可動範囲を示す概念図、図３は可動照明装置を紙面上反時計回りに回転させた状態を示す概念図である。図２、３では可動照明装置５のケース９及び摘み９１の図示を省略した。
【００２２】
図２に示すように、レンズを端面側から見た状態で回転角度−θ°〜＋θ°の範囲で可動照明装置５の向きを変えることができる。図２に示す状態では照明装置５の回転角度は０°である。その状態から可動照明装置５を紙面上反時計回りに回転させると、可動照明装置５は紙面上レンズ５の下面に隣接する領域に投光する。これに対し、可動照明装置５を紙面上時計回りに回転させると、可動照明装置５は紙面上レンズ５の上面に隣接する領域に投光する。
【００２３】
観察者が右手で柄１０を持ち、紙面上の下方向を視察する場合、図３に示すように、可動照明装置５を紙面上反時計回りに回転させればよい。可動照明装置５を反時計回りに回転させるには、観察者側から見て摘み９１をレンズ３側へ押し込むように回せばよい。
【００２４】
これに対し、観察者が左手で柄１０を持つ場合、可動照明装置５を図２の紙面上時計回りに回転させればよい。可動照明装置５を時計回りに回転させるには、摘み９１を手前へ回せばよい。
【００２５】
例えば、右手用に調節された照明付きルーペ（図３参照）の柄１０を左利きの観察者が左手で持ち、可動照明装置５を点灯させずに観察を始め、その後、可動照明装置５を点灯させたところ、可動照明装置５の向きが逆であると気づいた場合、摘み９１を回転させて可動照明装置５の向きを変えることができるので、観察を中断して照明付きルーペを反転させる必要が無く、観察対象物の観察部分を見失うことがない。
【００２６】
この実施形態によれば、照明付きルーペの照明方向を容易に切り換えることができ、左右非対称型のルーペでありながら、右利き用としても左利き用としても使用することができる。
【００２７】
また、第１実施形態のルーペは、レンズが矩形の左右非対称型であったが、左右対称形のルーペであっても、従来技術に記載のルーペの様に一方のレンズ面の視察方向のみ照明するタイプに比べ使用時毎に照明が可能な方向を確認する必要がないので、左右対称型のルーペに採用しても使い勝手が向上する。
【００２８】
また、可動照明装置５の光源として、ＬＥＤ６を採用したので、ＬＥＤ６自体が小型であるとともに、ＬＥＤ６用の電源として小型のボタン型電池１２を用いることができるので、可動照明装置５を小型化することができる。
【００２９】
図４はこの発明の第２実施形態に係る照明付きルーペの平面図、図５は図４のＶ−Ｖ線に沿う断面図である。
【００３０】
第１実施形態と共通する部分については同一符号を付してその説明を省略する。以下、主な相違部分についてだけ説明する。
【００３１】
図４、５に示すように、第２実施形態の照明付きルーペの照明装置（照明手段）２０５は第１実施形態の可動照明装置５と同様に、ＬＥＤ６と制御基板７と拡散板８とケース２０９とを備えている。しかし、ケース２０９は回転せず、フレーム２０４に形成された凹部２４２に固定されている。したがって、照明装置２０５はレンズの一方の面側を向いている。
【００３２】
その代わりに、第２実施形態では、フレーム２０４が柄２１０に対して回転できるように構成されている。
【００３３】
図６はフレームと柄との連結部分の断面図、図７は図６のVII−VII線に沿う断面図である。
【００３４】
図６、７に示すように、フレーム２０４は軸部２４３を有する。軸部２４３の外周面には２つの円錐形の凹部２４３ａが形成されている。凹部２４３ａ同士は軸部２４３の径方向で対向する。
【００３５】
柄２１０は軸受部２１０ａを有する。軸受部２１０ａには小孔２１０ｅが形成されている。小孔２１０ｅは軸受部２１０ａの内部空間２１０ｂに通じている。小孔２１０ｅの内周面には雌ねじ（図示せず）が形成されている。
【００３６】
フレーム２０４の軸部２４３は柄２１０の軸受部２１０ａに挿入され、軸部２４３の先端部は柄２１０の内部空間２１０ｃに達する。軸部２４３の先端部にはリング２１４が接着剤により固定される。リング２１４の一端面は軸受部２１０ａの一端面２１０ｄに摺動可能に接触する。これにより、フレーム２０４は柄２１０に対して回転可能であり、且つ柄２１０から脱落しない。上述の軸部２４３と軸受部２１０ａとリング２１４とでフレーム２０４の回転機構が構成されている。
【００３７】
軸受部２１０ａの小孔２１０ｅは軸部２４３の凹部２４３ａと係合し得る。小孔２１０ｅにはボール２１５とばね２１６とが収容され、小孔２１０ｅの雌ねじにはイモねじ２１７が捩じ込まれる。ボール２１５は凹部２４３ａと係合する。ばね２１６はボール２１５とイモねじ２１７との間に介在し、ボール２１５を凹部２４３ａの方へ付勢する。イモねじ２１７は小孔２１０ｅを塞ぐとともにばね２１６を支持する。
【００３８】
フレーム２０４を柄２１０に対して回転させると、フレーム２０４が１８０°回転する度にボール２１５が凹部２４３ａと係合し、フレーム２０４が柄２１０に対して軽くロックされた状態になる。
【００３９】
この照明付きルーペを用いて観察しているときに、照明装置２０５の向きが逆であると気づいた場合、観察者は柄２１０を持ったままフレーム２０４を１８０°回転させればよい。
【００４０】
第２実施形態によれば、第１実施形態と同様の効果を得ることができる。
【００４１】
なお、第２実施形態では、照明装置は回転しない例を示したが、第１実施形態のように可動照明装置としてもよい。これにより、照明する側を変更する際、可動照明装置を使用するか、又は柄の回転を行うかの選択が可能となり、使用者の使い勝手が更に向上する。
【００４２】
図８はこの発明の第３実施形態に係る照明付きルーペの断面図である。
【００４３】
第１実施形態と共通する部分については同一符号を付してその説明を省略する。以下、主な相違部分についてだけ説明する。
【００４４】
図８に示すように、第３実施形態の照明付きルーペの２つの照明装置（第１、第２の照明手段）３０５、３０５´の基本構成は第１実施形態の可動照明装置５と同様に、ＬＥＤ６と制御基板７と拡散板８とケース３０９とを備えている。しかし、照明装置３０５、３０５´のケース３０９は回転せず、照明装置３０５のケース３０９はフレーム３０４の一方の面に形成された凹部３４４に固定され、照明装置３０５´のケース３０９はフレーム３０４の他方の面に形成された凹部３４５に固定されている。したがって、照明装置３０５、３０５´は回転せず、異なる方向を向いている。照明装置３０５、３０５´はそれぞれ切換えスイッチ（切換手段）３１８に電気的に接続されている。
【００４５】
第３実施形態では、照明装置３０５、３０５´の向きを変える代わりに、点灯させる照明装置３０５，３０５´を選択することによって、照射される光の向きを変えるようにした。
【００４６】
更に、ケース３０９は、凹形状をしている。これのルーペの配置としては、凹部の開口部が、各レンズ面の視察領域に対応する照明領域となるように配置されている。そして、凹部の一部の壁は、使用者方向への照明光を遮断するように設けられている。これにより、使用者への不要な照明光の入射を避けられる。
【００４７】
第３実施形態によれば、第１実施形態と同様の効果を得ることができる。
【００４８】
なお、上述の実施形態は左右非対称型のルーペであるが、この発明の適用範囲は左右非対称型のルーペに限られず、左右対称型のルーペにも適用することができる。
【００４９】
また、スイッチ１１,３１８の設置箇所は図１、４、８に示す位置に限られず、例えば、フレーム４，２０４，３０４の右側面や柄１０、２１０の右側面、又はやフレーム４，２０４，３０４の手前側の面に設置してもよい。
【図面の簡単な説明】
【００５０】
【図１】図１はこの発明の第１実施形態に係る照明付きルーペの一部を破断した状態を示す平面図である。
【図２】図２は可動照明装置の可動範囲を示す概念図である。
【図３】図３は可動照明装置を時計回りに回転させた状態を示す概念図である。
【図４】図４はこの発明の第２実施形態に係る照明付きルーペの平面図である。
【図５】図５は図４のＶ−Ｖ線に沿う断面図である。
【図６】図６はフレームと柄との連結部分の断面図である。
【図７】図７は図６のVII−VII線に沿う断面図である。
【図８】図８はこの発明の第３実施形態に係る照明付きルーペの断面図である。
【符号の説明】
【００５１】
２  ルーペ本体
３  レンズ
２４３  軸部
５  可動照明装置（可動照明手段）
２０５  照明装置（照明手段）
３０５  照明装置（第１の照明手段）
３０５´  照明装置（第２の照明手段）
１０、２１０  柄
２１０ａ  軸受部
２１４  リング
【図１】
2007322979.tif 000003
【図２】
2007322979.tif 000004
【図３】
2007322979.tif 000005
【図４】
2007322979.tif 000006
【図５】
2007322979.tif 000007
【図６】
2007322979.tif 000008
【図７】
2007322979.tif 000009
【図８】
2007322979.tif 000010